(57)【要約】【課題】多くの遊技球が一挙に払い出されても、遊技者が安心して遊技を行うことができ、遊技場の管理者に面倒を掛けない遊技機を提供することである。【解決手段】皿ユニット２１ａは、遊技球を受ける底面可動部３１０、底面固定部３１５、及び底面可動部３１０より立設する側壁固定部３２０、側壁可動部３２２ａ〜３２２ｄによって囲まれた貯留領域３００を形成する下皿２２ａと、遊技者の操作により、底面可動部３１０及び／又は側壁固定部３２０、側壁可動部３２２ａ〜３２２ｄを可動することにより貯留領域３００の大きさを変更する底面可動レバー３３０、側壁可動リンク部３４２ａ、３４２ｂとを有する。【選択図】図３
2007136095.tif 000002
【特許請求の範囲】
【請求項１】
遊技球が転動する遊技領域を有し、該遊技領域に遊技球が入賞する入賞役物が設けられた遊技盤を備えた遊技機本体と、
前記入賞役物に遊技球が入賞したときに、所定数の遊技球を払い出す賞球払出手段と、
前記遊技機本体における前記遊技盤の下方に設けられ、前記賞球払出手段によって払い出された遊技球を一旦貯留する貯留手段とを備え、
前記貯留手段は、遊技球を受ける底面部、及び該底面部より立設する側壁部によって囲まれた貯留領域を形成する遊技球貯留体と、
遊技者の操作により、前記底面部及び／又は前記側壁部を可動することにより前記貯留領域の大きさを変更する可動手段とを有することを特徴とする遊技機。
【請求項２】
前記貯留手段は、遊技者の操作により、前記底面部及び／又は前記側壁部を複数の可動位置の各々で固定する固定手段を設けたことを特徴とする請求項１に記載の遊技機。
【請求項３】
前記貯留手段は、前記底面部及び／又は前記側壁部の可動を案内する案内部を備えたことを特徴とする請求項１または２に記載の遊技機。
【請求項４】
前記貯留手段は、遊技者の操作により、前記底面部の下方に遊技球を落下させる球抜き手段を備え、
前記球抜き手段は、前記底面部に、遊技者の操作により開閉可能な開口部を有し、
前記底面部は、前記可動手段によって可動する底面可動部と、前記可動手段によって可動せずに固定された底面固定部とを有し、
前記開口部は、前記底面部における底面固定部に形成されていることを特徴とする請求項１から３のいずれかに記載の遊技機。
【発明の詳細な説明】
【技術分野】
【０００１】
本発明は、例えば、パチンコ遊技装置、パチスロ遊技装置、スロットマシン等の遊技機に関する。
【背景技術】
【０００２】
従来より、パチンコ機では、遊技盤上に形成された遊技領域へ、遊技者の発射手段を用いた操作によって遊技球が発射される。この発射される遊技球は、遊技機枠体における遊技領域の下方に配置された上皿に一旦貯留され、発射手段により順次遊技領域へと発射される。
【０００３】
さらに、遊技領域に設けられた入賞役物に遊技球が入賞すると、所定数の賞球が払い出される。この賞球は、上記上皿に払い出されるが、上皿に所定数以上の遊技球が払い出されると、それ以上に払い出される遊技球は、遊技機枠体における上皿の更に下方に配置された下皿に払い出されることになる。そして、下皿に払い出された遊技球が所定数以上になると、発射手段の発射操作が無効化されてしまい、これ以上の数の遊技球が遊技領域へと発射されないようになる。
【０００４】
特に、大当たり遊技が行われている場合など、非常に多くの賞球が、一挙に払い出されることになり、大当たり遊技に夢中になっている遊技者が下皿に遊技球が多く払い出されていることに気づかないことも多く、慌てて、下皿に設けられた貫通穴の蓋部材を可動させて下皿下方に置かれたドル箱に遊技球を落下させる場合もある。しかし、下皿に設けられた貫通穴は小さいので多数の遊技球を迅速に落下させることはできない。
【０００５】
そこで、下皿に貯留された多数の遊技球を迅速に球抜き可能とするために、両端が支持アームに軸支された横長の形態をなし、上方向に回転可能であり、下皿部と下皿の本体に形成された係止片を係合させて、球抜き状態の上位置に回転して固定可能とする遊技機が提案されている（特許文献１参照）。
【特許文献１】特開２００３−１９３２０号公報
【発明の開示】
【発明が解決しようとする課題】
【０００６】
しかしながら、このような遊技機では、下皿が回転可能であるので、貯留された遊技球を誤って球抜き状態にしてしまう場合もあり、下皿の下方にドル箱が配置されていないときには、遊技球が散乱してしまうこともあるので、遊技者にとっても遊技場の管理者にとっても非常に不安定で面倒である。
【０００７】
したがって、大当たり遊技が行われている場合など、非常に多くの遊技球が一挙に払い出されても、遊技者が安心して遊技を行うことができ、遊技場の管理者に面倒を掛けない遊技機の提供が望まれている。
【０００８】
本発明は、上述したような課題に鑑みてなされたものである。その目的は、多くの遊技球が一挙に払い出されても、遊技者が安心して遊技を行うことができ、遊技場の管理者に面倒を掛けない遊技機を提供することである。
【課題を解決するための手段】
【０００９】
以上のような目的を達成するために、本発明は、以下のようなものを提供する。
【００１０】
（１）  遊技球が転動する遊技領域を有し、該遊技領域に遊技球が入賞する入賞役物が設けられた遊技盤を備えた遊技機本体と、前記入賞役物に遊技球が入賞したときに、所定数の遊技球を払い出す賞球払出手段と、前記遊技機本体における前記遊技盤の下方に設けられ、前記賞球払出手段によって払い出された遊技球を一旦貯留する貯留手段とを備え、前記貯留手段は、遊技球を受ける底面部、及び該底面部より立設する側壁部によって囲まれた貯留領域を形成する遊技球貯留体と、遊技者の操作により、前記底面部及び／又は前記側壁部を可動することにより前記貯留領域の大きさを変更する可動手段とを有することを特徴とする遊技機。
【００１１】
（１）の発明によれば、遊技球を一旦貯留する貯留手段は、遊技者が可動手段を操作することにより、底面部及び／又は側壁部を可動し、貯留領域の増大や縮小が可能となる。従って、例えば、遊技者は、大当たり遊技が行われている場合など、非常に多くの遊技球が一挙に払い出されたときは、貯留領域を増大することで、遊技球を慌ててドル箱に落下させる必要がなくなり、遊技球を散乱させることが減少するので、遊技場の管理者に面倒を掛けることを防止することが可能となる。また、通常の遊技が行われている場合などは、遊技者の趣向により、増大させた貯留領域を縮小することも可能となる。これにより、多くの遊技球が一挙に払い出されても、遊技者が安心して遊技を行うことができ、遊技場の管理者に面倒を掛けない遊技機を提供することが可能となる。
【００１２】
（２）  前記貯留手段は、遊技者の操作により、前記底面部及び／又は前記側壁部を複数の可動位置の各々で固定する固定手段を設けたことを特徴とする（１）に記載の遊技機。
【００１３】
（２）の発明によれば、固定手段を設けているので、遊技者の操作により、貯留領域の大きさを複数段階の大きさで固定することが可能となるので、貯留領域の大きさを遊技の状況や遊技者の趣向に応じて、複数段階の中から選択し、固定しておくことが可能となる。従って、例えば、遊技者にとって有利な遊技が複数回実行される大当たり遊技が行われている場合など、有利な遊技の実行回数に応じて、段階的に貯留領域を増大し、固定しておくことが可能となるので、遊技者は、大当たりとなったときに、慌てて遊技場の管理者にドル箱を持ってきてもらう必要がなくなる。また、固定手段により底面部及び／又は側壁部を固定することで、貯留される遊技球による衝撃や圧力によって貯留領域の大きさが変更されてしまうことを防止することが可能となる。従って、例えば、大当たり遊技が行われている場合など、非常に多くの遊技球が一挙に払い出されたときの遊技球による衝撃や圧力により貯留領域の大きさが突然変更され、遊技球を散乱させることが減少する。これにより、多くの遊技球が一挙に払い出されても、遊技者が安心して遊技を行うことができ、遊技場の管理者に面倒を掛けない遊技機を提供することが可能となる。
【００１４】
（３）  前記貯留手段は、前記底面部及び／又は前記側壁部の可動を案内する案内部を備えたことを特徴とする（１）または（２）に記載の遊技機。
【００１５】
（３）の発明によれば、貯留手段に案内部を備えているので、遊技者の操作により、より安定して遊技球貯留体の底面部及び／又は側壁部を案内部に沿ってスムーズに可動することが可能となる。従って、例えば、遊技者による可動手段の操作が、大当たり遊技に集中しているときに行われても、スムーズに貯留領域を増大させることが可能となるので、遊技球を散乱させることがさらに減少する。これにより、多くの遊技球が一挙に払い出されても、さらに遊技者が安心して遊技を行うことができ、遊技場の管理者に面倒を掛けない遊技機を提供することが可能となる。
【００１６】
（４）  前記貯留手段は、遊技者の操作により、前記底面部の下方に遊技球を落下させる球抜き手段を備え、前記球抜き手段は、前記底面部に、遊技者の操作により開閉可能な開口部を有し、前記底面部は、前記可動手段によって可動する底面可動部と、前記可動手段によって可動せずに固定された底面固定部とを有し、前記開口部は、前記底面部における底面固定部に形成されていることを特徴とする（１）から（３）のいずれかに記載の遊技機。
【００１７】
（４）の発明によれば、球抜き手段の開口部を、可動手段によって可動せずに固定された底面固定部に有するので、遊技者の操作により可動手段が操作された場合、貯留領域を増大しつつも、開口部の位置は変更されない。従って、遊技者の操作により、可動手段が操作された後であっても、ドル箱を設置する位置を変える必要がないので、遊技者や遊技場の管理者の不手際により、遊技球を散乱させること防止することが可能となる。これにより、多くの遊技球が一挙に払い出されても、遊技者が安心して遊技を行うことができ、遊技場の管理者に面倒を掛けない遊技機を提供することが可能となる。
【発明の効果】
【００１８】
本発明によれば、遊技者が可動手段を操作することにより、貯留手段における、底面部及び／又は側壁部を可動し、貯留領域の増大や縮小が可能となるので、非常に多くの遊技球が一挙に払い出されたときは、貯留領域を増大することで、遊技球を慌ててドル箱に落下させる必要がなくなり、遊技球を散乱させることが減少し、遊技場の管理者に面倒を掛けることを防止することが可能となることから、多くの遊技球が一挙に払い出されても、遊技者が安心して遊技を行うことができ、遊技場の管理者に面倒を掛けない遊技機を提供することが可能となる。
【発明を実施するための最良の形態】
【００１９】
以下に、本発明に好適な実施形態について図面に基づいて説明する。尚、以下において説明する実施形態においては、本発明に係る遊技機に好適な実施形態として本発明を第１種パチンコ遊技機（デジパチとも称される。）に適用した場合を示す。
【００２０】
［遊技機の構成］
まず、遊技機の概観について図１と図２を用いて説明する。図１は、本実施形態におけるパチンコ遊技機１０の前方の概観を示す斜視図である。図２は、本実施形態におけるパチンコ遊技機１０の概観を示す分解斜視図である。
【００２１】
図１及び図２に示すように、パチンコ遊技機１０は、扉１１、本体枠１２、ベースドア１３、遊技盤１４、皿ユニット２１ａ、液晶表示装置３２、発射操作ハンドル２６などから構成されている。
【００２２】
上述した扉１１は、ベースドア１３に対して開閉自在に軸着されている。また、この扉１１の中央には、透光性を有する保護ガラス１９が配設されている。この保護ガラス１９は、扉１１が閉鎖された状態で、後述する遊技盤１４の前面に対面するように配設されている。特に、この保護ガラス１９は、少なくとも遊技領域１５の全域と対面するように配設されておればよいが、遊技領域１５に該当しない遊技盤１４の前面領域１６（図示せず）に対面するように配設されてもよい。
【００２３】
上述した遊技盤１４は、扉１１における保護ガラス１９の後方に位置するように、ベースドア１３の前方に配設されている。この遊技盤１４は、その全部が透光性を有する板形状の樹脂によって形成されている。この透光性を有する樹脂としては、例えば、アクリル樹脂、ポリカーボネート樹脂、メタクリル樹脂など各種の材質が該当する。遊技盤１４は、その前面に、発射された遊技球が転動可能な遊技領域１５を有している。この遊技領域１５は、図１に示すように、ガイドレール３０に囲まれ、遊技球が転動可能な領域である。また、遊技盤１４における遊技領域１５には複数の障害釘が打ちこまれている。このように、発射操作ハンドル２６によって発射された遊技球は、遊技盤１４上に設けられたガイドレール３０に案内されて遊技領域１５の上部に移動し、その後、上述した複数の障害釘との衝突によりその進行方向を変えながら遊技盤１４の下方に向かって落下することとなる。すなわち、遊技領域１５は、遊技球が転動する遊技領域の一例である。
【００２４】
この遊技盤１４の前面中央には、始動口４４、シャッタ４０などが設けられている。この始動口４４に遊技球が入球したことを条件として、液晶表示装置３２において識別情報の可変表示が実行されることとなる。また、この識別情報の可変表示の結果に応じて、通常遊技状態よりも遊技者にとって有利な特定遊技状態（所謂、「大当り」）となる。この特定遊技状態となった場合には、シャッタ４０が開放状態に制御され、大入賞口３９に遊技球が受け入れ可能な開放状態となることがある。また、このような遊技盤１４においては、各種の役物が取り付け可能となっている。
【００２５】
すなわち、始動口４４、大入賞口３９は、遊技球が入賞する入賞役物の一例である。また、遊技盤１４は、遊技領域に遊技球が入賞する入賞役物が設けられた遊技盤の一例である。換言すると、パチンコ遊技機１０は、遊技球が転動する遊技領域を有し、遊技領域に遊技球が入賞する入賞役物が設けられた遊技盤を備えた遊技機本体の一例である。また、球払出ユニットは、入賞役物に遊技球が入賞したときに、所定数の遊技球を払い出す賞球払出手段の一例である。
【００２６】
上述したように、扉１１、遊技盤１４、皿ユニット２１ａ、発射操作ハンドル２６が配設されたベースドア１３は、本体枠１２に軸着されている。ベースドア１３の中央には開口が形成されている。このため、ベースドア１３の後方に配設される液晶表示装置３２の表示領域３２ａが、透光性を有する遊技盤１４、保護ガラス１９を介して、前方から視認可能となる。また、このベースドア１３の上方には、スピーカが配設される。
【００２７】
上述した液晶表示装置３２は、ベースドア１３に配設されている。この液晶表示装置３２は、遊技に関する画像を表示するための表示領域３２ａを有している。この液晶表示装置３２は、ベースドア１３を介して、遊技盤１４の後方（背面側）に配設されることとなる。また、液晶表示装置３２は、表示領域３２ａがベースドア１３を介して遊技盤１４の全部又は一部と背面側から重なるように配設されている。この液晶表示装置３２における表示領域３２ａには、特別図柄ゲームにおける識別情報、普通図柄ゲームにおける普通図柄、特別図柄ゲームにおける識別情報に伴う装飾図柄、遊技に係る背景画像、演出画像等、各種の画像が表示される。
【００２８】
このように、遊技者によってパチンコ遊技機１０の前方から遊技が行われている場合、つまり、扉１１が閉鎖した状態である場合には、透光性を有する遊技盤１４の背面側に液晶表示装置３２が配設されるとともに、遊技盤１４の前面側に透光性を有する保護ガラス１９が配設されるので、液晶表示装置３２における表示領域３２ａに表示された画像が、透光性を有する遊技盤１４及び保護ガラス１９を介して遊技者に対して視認可能となる。
【００２９】
尚、この液晶表示装置３２における表示領域３２ａに表示される画像の一例として、特別図柄ゲームにおける識別情報を挙げる。例えば、液晶表示装置３２における表示領域３２ａには、特別図柄ゲームにおける識別情報が可変表示される。この識別情報は、特別図柄ゲームにおいて主に特別図柄から構成されるものである。この識別情報は、数字や記号等からなる図柄であり、本実施形態においては、“０”から“９”までの数字を用いる。
【００３０】
「可変表示」とは、変動可能に表示される概念であり、例えば、実際に変動して表示される「変動表示」、実際に停止して表示される「停止表示」等を可能とするものである。また、「可変表示」は、特別図柄ゲームの結果として識別情報が表示される「導出表示」を行うことができる。また、変動表示が開始されてから導出表示されるまでを１回の可変表示と称する。
【００３１】
この液晶表示装置３２には、複数の図柄列（本実施形態においては３列）に対応する識別情報が可変表示される。これら複数の図柄列において識別情報の導出表示が行われ、導出表示された複数の識別情報の組合せが特定の表示態様（例えば、複数の図柄列のそれぞれに“０”から“９”のいずれかが全て揃った状態で導出表示される態様、所謂「大当り表示態様」）になったことに基づいて、遊技状態を遊技者にとって有利な特定遊技状態（所謂大当り）に移行することとなる。尚、本実施形態においては、識別情報を複数の図柄列で構成したが、これに限らず、例えば、識別情報を一列の図柄列で構成してもよく、識別情報を用いない構成であってもよい。
【００３２】
尚、本実施形態において、画像を表示する部分として液晶ディスプレイパネルからなる液晶表示装置３２を採用したが、これに限らず、他の態様であってもよく、例えば、ＣＲＴ（Ｃａｔｈｏｄｅ  Ｒａｙ  Ｔｕｂｅ）を含むブラウン管、ドットＬＥＤ、セグメントＬＥＤ、ＥＬ（Ｅｌｅｃｔｒｏｎｉｃ  Ｌｕｍｉｎｅｓｃｅｎｔ）、プラズマ等からなるものであってもよい。また、特別図柄ゲームにおける識別情報としての特別図柄などを、液晶表示装置３２の表示領域３２ａにおける所定の位置に表示するように構成したが、これに限らず、例えば、遊技者に対して視認可能な位置であれば別の態様であってもよい。また、表示手段として液晶表示装置３２を採用したが、これに限らず、別の態様であってもよく、例えば、表示手段としてドラム、ベルト、リーフ等を可変表示手段として採用してもよい。もちろん、このような表示手段を備えなくてもよい。
【００３３】
［皿ユニット］
上述した皿ユニット２１ａは、扉１１の下方に位置するように、ベースドア１３に配設されている。皿ユニット２１ａは、その上方に上皿２０が設けられている。また、上皿２０の下方には下皿２２ａ、２２ｂが設けられている。上皿２０には、遊技領域１５に発射させるための遊技球が貯留される。また、上皿２０及び下皿２２ａには、遊技球の貸し出し、遊技球の払出し（賞球）を行うための払出口が形成されている。そして、遊技球が始動口４４、大入賞口３９に入賞すると、球払出ユニットにより、皿ユニット２１ａにおける下皿２２ａに形成された遊技球の払出し（賞球）を行うための払出口から遊技球が排出され、下皿２２ａに遊技球が一旦貯留されることとなる。また、下皿２２ａに貯留された遊技球は、遊技者により球抜きレバーが操作されることにより、球抜き穴２３より、下方へ落下することとなる。なお、落下された遊技球は、下皿２２ａの下に設置されたドル箱等に貯留される。すなわち、下皿２２ａが設けられた皿ユニット２１ａは、遊技機本体における遊技盤の下方に設けられ、賞球払出手段によって払い出された遊技球を一旦貯留する貯留手段の一例である。
【００３４】
次に、上述した下皿２２ａ、２２ｂ及び下皿２２ａ、２２ｂに関連する構成について図３から図９を用いて説明する。なお、理解を容易にするため、下皿２２ａにおける貯留領域３００の大きさを水平方向に変更する第１実施形態と、下皿２２ｂにおける貯留領域４００の大きさを鉛直方向に変更する第２実施形態とに分けて説明するが、第１実施形態と第２実施形態を合わせることもできる。すなわち、貯留領域の大きさを水平方向に変更するとともに、鉛直方向にも変更することができる。
【００３５】
〈第１実施形態〉
下皿２２ａ及び下皿２２ａに関連する構成について図３から図６を用いて説明する。図３は、皿ユニット２１ａの斜視図である。図４は、下皿２２ａの下方からの見上図である。図５は、図４におけるＡＡ断面図である。図６は、図４におけるＢＢ断面図である。
【００３６】
図４または図５に示すように、下皿２２ａは、第１底面可動部３１０と、底面固定部３１５と、第２底面可動部３１２ａ、３１２ｂと、側壁固定部３２０と、側壁可動部３２２ａ〜３２２ｄと、側壁可動案内部３５０ａ、３５０ｂと、底面可動案内部３５２ａ、３５２ｂとから構成されている。側壁固定部３２０と、側壁可動部３２２ａ〜３２２ｄは、第１底面可動部３１０より立設し、底面可動部３１０と、底面固定部３１５とを囲むことにより、貯留領域３００を形成している。
【００３７】
すなわち、底面可動部３１０と、底面固定部３１５とは、遊技球を受ける底面部の一例である。また、側壁固定部３２０と、側壁可動部３２２ａ〜３２２ｄとは、底面部より立設する側壁部の一例である。また、貯留領域３００は、底面部、及び底面部より立設する側壁部によって囲まれた貯留領域の一例である。換言すると、下皿２２ａは、遊技球を受ける底面部、及び底面部より立設する側壁部によって囲まれた貯留領域を形成する遊技球貯留体の一例である。
【００３８】
底面固定部３１５における下面の左右の端部には、底面可動案内部３５２ａ、３５２ｂが形成されている。底面可動案内部３５２ａ、３５２ｂは、互いに対向するように、断面形状がコの字状の長尺体である。そして、互いに対向した底面可動案内部３５２ａ、３５２ｂの間には、第１底面可動部３１０がスライド自在に係止されている。第１底面可動部３１０は、平面状の中空体であり、左右端部には、第２底面可動部３１２ａ、３１２ｂが出し入れ自在に挿入されている。
【００３９】
第１底面可動部３１０における一方の端部は、底面固定部３１５の端部に係止され、他方の端部には、側壁固定部３２０が立設している。側壁固定部３２０は、中空体であり、左右端部には、夫々側壁可動部３２２ａ、３２２ｃが出し入れ自在に挿入されている。側壁可動部３２２ａ、３２２ｃの一方端部は、側壁固定部３２０の左右端部と夫々係止され、他方端部は、夫々、側壁可動部３２２ｂ、３２２ｄの一方端部と回動自在に接続されている。側壁可動部３２２ｂ、３２２ｄの他方端部は、底面固定部３１５の上面の左右端部に夫々立設された側壁可動案内部３５０ａ、３５０ｂに係止されている。側壁可動案内部３５０ａ、３５０ｂは、中空体であり、側壁可動部３２２ｂ、３２２ｄが出し入れ自在に挿入される。
【００４０】
次に、図４から図６を用いて、下皿２２ａに関連する構成について説明する。
【００４１】
図４に示すように、下皿２２ａにおける第１底面可動部３１０の下面には、底面可動レバー３３０と、側壁可動レバー３４０と、側壁可動リンク部３４２ａ、３４２ｂとが設けられ、底面固定部３１５の下面には、底面固定凹部３３２ａ〜３３２ｃが形成されている。
【００４２】
図４又は図５に示すように、側壁可動レバー３４０は、第１底面可動部３１０の下面の一部に形成された筒状体に貫通された長尺体である。側壁可動レバー３４０は、一部の左右両縁に複数の歯が形成されたラック状体である。側壁可動リンク部３４２ａ、３４２ｂは、第１底面可動部３１０の下面に、側壁可動レバー３４０を中心として、左右に設置されている。側壁可動リンク部３４２ａ、３４２ｂは、歯車部分と歯車部分の一部に形成された長尺体と長尺体の先端と一方端部が回動自在に連結されたリンク部材とから構成されている。側壁可動リンク部３４２ａ、３４２ｂは、歯車部分の中心において、第１底面可動部３１０の下面に回動自在に接合され、歯車部分の歯は、側壁可動レバー３４０に形成された歯と係合している。また、側壁可動リンク部３４２ａ、３４２ｂのリンク部材の他方端部は、第２底面可動部３１２ａ、３１２ｂの下面に夫々回動自在に接合されている。また、第１底面可動部３１０の外縁近傍には、円柱状体の側壁固定凸部３４４が形成されている。そして、側壁可動レバー３４０には、側壁固定凸部３４４に係合する円形の開口部である側壁固定凹部３４３ａ〜３４３ｃが形成されている。
【００４３】
図４又は図６に示すように、底面可動レバー３３０は、長尺体であり、一方の端部が爪状となっており、一部が第１底面可動部３１０に接合され、当該接合部分を支点とした“く”の字状体である。また、底面可動レバー３３０の他方端部は、第１底面可動部３１０とバネ状体を介して接合されている。底面可動レバー３３０の爪状となっている端部は、底面固定部３１５に当接し、当該当接部分の底面固定部３１５下面には、底面固定凹部３３２ａ〜３３２ｃが形成されている。底面固定凹部３３２ａ〜３３２ｃのいずれかは、底面可動レバー３３０の爪状部分と係合している。
【００４４】
また、底面固定部３１５には、球抜き穴２３が形成されているとともに、遊技者の操作により、球抜き穴２３の蓋を開閉操作する球抜きレバー２４が設置されている。
【００４５】
すなわち、底面固定部３１５は、可動手段によって可動せずに固定された底面固定部の一例であり、第１底面可動部３１０と、第２底面可動部３１２ａ、３１２ｂは、可動手段によって可動する底面可動部の一例である。また、球抜き穴２３は、遊技者の操作により開閉可能な開口部の一例である。換言すると、球抜き穴２３は、遊技者の操作により、貯留手段の底面部の下方に遊技球を落下させる球抜き手段の一例であり、底面部における底面固定部に形成されている開口部の一例である。
【００４６】
このように、球抜き手段の開口部を、可動手段によって可動せずに固定された底面固定部に有するので、遊技者の操作により可動手段が操作された場合、貯留領域を増大しつつも、開口部の位置は変更されない。従って、遊技者の操作により、可動手段が操作された後であっても、ドル箱を設置する位置を変える必要がないので、遊技者や遊技場の管理者の不手際により、遊技球を散乱させること防止することが可能となる。これにより、多くの遊技球が一挙に払い出されても、遊技者が安心して遊技を行うことができ、遊技場の管理者に面倒を掛けない遊技機を提供することが可能となる。
【００４７】
下皿２２ａ及び下皿２２ａに関連する作用について図４〜図６を用いて説明する。
【００４８】
図４〜図６は、第１底面可動部３１０、第２底面可動部３１２ａ、３１２ｂ、及び側壁可動部３２２ａ〜３２２ｄが最大に拡がることにより、貯留領域３００の大きさが最大になっていることを示している。
【００４９】
図４又は図５に示す状態から貯留領域３００の大きさを小さくしようとする遊技者は、側壁可動レバー３４０を操作することで、第２底面可動部３１２ａ、３１２ｂ、及び側壁可動部３２２ａ〜３２２ｄを可動することができる。遊技者により、側壁可動レバー３４０の端部が下方に下げられることで、側壁固定凸部３４４と側壁固定凹部３４３ａとの係合が解除され、側壁可動レバー３４０は、軸方向にスライド可能となる。遊技者により、側壁可動レバー３４０が、遊技機側にスライド移動されることで、左右両縁に複数の歯に係合された側壁可動リンク部３４２ａ、３４２ｂの歯車部分が回動し、歯車部分の一部に形成された長尺体に回動自在に連結されたリンク部材を一点鎖線に示すように移動させる。リンク部材に回動自在に接合された第２底面可動部３１２ａ、３１２ｂは、側壁可動レバー３４０方向に引き寄せられる。第２底面可動部３１２ａ、３１２ｂは、第１底面可動部３１０の中空部分に案内されるとともに格納される。また、第２底面可動部３１２ａ、３１２ｂの外縁に立設された側壁可動部３２２ａ、３２２ｃは、側壁固定部３２０の中空部分に案内されるとともに格納される。さらに、遊技者による操作により、側壁可動レバー３４０の側壁固定凹部３４３ａ、３４３ｂが側壁固定凸部３４４に係合されることで、貯留領域３００の大きさは、固定される。
【００５０】
換言すると、底面可動レバー３３０、側壁可動リンク部３４２ａ、３４２ｂは、遊技者の操作により、底面部及び／又は側壁部を可動することにより貯留領域の大きさを変更する可動手段の一例である。また、側壁固定凹部３４３ａ〜３４３ｃ、側壁固定凸部３４４は、遊技者の操作により、底面部及び／又は側壁部を複数の可動位置の各々で固定する固定手段の一例である。さらに、第２底面可動部３１２ａ、３１２ｂを案内する第１底面可動部３１０と、側壁可動部３２２ａ、３２２ｃを案内する側壁固定部３２０とは、底面部及び／又は側壁部の可動を案内する案内部の一例である。
【００５１】
次に、図４又は図６に示す状態から貯留領域３００の大きさを小さくしようとする遊技者は、底面可動レバー３３０を操作することで、第１底面可動部３１０、側壁固定部３２０、及び上記の側壁可動レバー３４０の操作により、側壁可動レバー３４０と平行にされた側壁可動部３２２ｂ、３２２ｄを可動することができる。遊技者により、底面可動レバー３３０の一方端部が上方に上げられることで、第１底面可動部３１０との接合部分を支点として、底面可動レバー３３０の爪状となっている他方の端部が下方へ下がり、底面固定凹部３３２ｃとの係合が解除される。これにより、第１底面可動部３１０、側壁固定部３２０、及び側壁可動部３２２ｂ、３２２ｄは、スライド移動が可能となる。遊技者により、第１底面可動部３１０、側壁固定部３２０、及び側壁可動部３２２ｂ、３２２ｄが、遊技機側へスライド移動されることで、第１底面可動部３１０は、底面固定部３１５における下面の左右端部の底面可動案内部３５２ａ、３５２ｂに案内され、底面固定部３１５の下方に格納される。また、側壁可動部３２２ｂ、３２２ｄは、底面固定部３１５の上面の左右端部に夫々立設された側壁可動案内部３５０ａ、３５０ｂの中空部分に案内されるとともに格納される。さらに、遊技者による操作により、底面可動レバー３３０の爪状部分が底面固定凹部３３２ａ、３３２ｂに係合されることで、貯留領域３００の大きさは、固定される。
【００５２】
換言すると、底面可動レバー３３０、底面固定凹部３３２ａ〜３３２ｃは、遊技者の操作により、底面部及び／又は側壁部を可動することにより貯留領域の大きさを変更する可動手段の一例である。
【００５３】
このように、遊技球を一旦貯留する貯留手段は、遊技者が可動手段を操作することにより、底面部及び／又は側壁部を可動し、貯留領域の増大や縮小が可能となる。従って、例えば、遊技者は、大当たり遊技が行われている場合など、非常に多くの遊技球が一挙に払い出されたときは、貯留領域を増大することで、遊技球を慌ててドル箱に落下させる必要がなくなり、遊技球を散乱させることが減少するので、遊技場の管理者に面倒を掛けることを防止することが可能となる。また、通常の遊技が行われている場合などは、遊技者の趣向により、増大させた貯留領域を縮小することも可能となる。これにより、多くの遊技球が一挙に払い出されても、遊技者が安心して遊技を行うことができ、遊技場の管理者に面倒を掛けない遊技機を提供することが可能となる。
【００５４】
また、換言すると、底面可動レバー３３０、底面固定凹部３３２ａ〜３３２ｃは、遊技者の操作により、底面部及び／又は側壁部を複数の可動位置の各々で固定する固定手段の一例である。
【００５５】
このように、固定手段を設けているので、遊技者の操作により、貯留領域の大きさを複数段階の大きさで固定することが可能となるので、貯留領域の大きさを遊技の状況や遊技者の趣向に応じて、複数段階の中から選択し、固定しておくことが可能となる。従って、例えば、遊技者にとって有利な遊技が複数回実行される大当たり遊技が行われている場合など、有利な遊技の実行回数に応じて、段階的に貯留領域を増大し、固定しておくことが可能となるので、遊技者は、大当たりとなったときに、慌てて遊技場の管理者にドル箱を持ってきてもらう必要がなくなる。また、固定手段により底面部及び／又は側壁部を固定することで、貯留される遊技球による衝撃や圧力によって貯留領域の大きさが変更されてしまうことを防止することが可能となる。従って、例えば、大当たり遊技が行われている場合など、非常に多くの遊技球が一挙に払い出されたときの遊技球による衝撃や圧力により貯留領域の大きさが突然変更され、遊技球を散乱させることが減少する。これにより、多くの遊技球が一挙に払い出されても、遊技者が安心して遊技を行うことができ、遊技場の管理者に面倒を掛けない遊技機を提供することが可能となる。
【００５６】
さらに、換言すると、第１底面可動部３１０を案内する底面可動案内部３５２ａ、３５２ｂと、側壁可動部３２２ｂ、３２２ｄを案内する側壁可動案内部３５０ａ、３５０ｂとは、底面部及び／又は側壁部の可動を案内する案内部の一例である。
【００５７】
このように、貯留手段に案内部を備えているので、遊技者の操作により、より安定して遊技球貯留体の底面部及び／又は側壁部を案内部に沿ってスムーズに可動することが可能となる。従って、例えば、遊技者による可動手段の操作が、大当たり遊技に集中しているときに行われても、スムーズに貯留領域を増大させることが可能となるので、遊技球を散乱させることがさらに減少する。これにより、多くの遊技球が一挙に払い出されても、さらに遊技者が安心して遊技を行うことができ、遊技場の管理者に面倒を掛けない遊技機を提供することが可能となる。
【００５８】
なお、本実施形態では、固定手段、案内部、球抜き手段、及び開口部を備えているが、本発明は、これらの手段を常に備える必要は無く、状況に応じて任意に備えることができる。
【００５９】
〈第２実施形態〉
次に、皿ユニット２１ａと別の実施形態における下皿２２ｂ及び下皿２２ｂに関連する構成について図７から図９を用いて説明する。図７は、皿ユニット２１ｂの斜視図である。図８は、下皿２２ｂの上方からの見下げ図である。図９は、図８におけるＣＣ断面図である。
【００６０】
図７または図８に示すように、下皿２２ｂは、底面部４１０と、側壁固定部４２０と、側壁可動部４２２とから構成されている。側壁固定部４２０と、側壁可動部４２２とは、底面部４１０より立設し、底面部４１０を囲むことにより、貯留領域４００を形成している。
【００６１】
すなわち、底面部４１０は、遊技球を受ける底面部の一例である。また、側壁固定部４２０と、側壁可動部４２２とは、底面部より立設する側壁部の一例である。また、貯留領域４００は、底面部、及び底面部より立設する側壁部によって囲まれた貯留領域の一例である。換言すると、下皿２２ｂは、遊技球を受ける底面部、及び底面部より立設する側壁部によって囲まれた貯留領域を形成する遊技球貯留体の一例である。
【００６２】
図７または図８に示すように、側壁固定部４２０と、側壁可動部４２２とは、円弧状の壁体である。側壁可動部４２２は、側壁固定部４２０の内側に形成されている。側壁可動部４２２の側壁固定部４２０に対向する面には、可動案内凸部４５０ａ〜４５０ｄが形成されている。側壁固定部４２０の側壁可動部４２２に対向する面には、可動案内凹部４５２ａ〜４５２ｄが形成されている。可動案内凸部４５０ａ〜４５０ｄと、可動案内凹部４５２ａ〜４５２ｄとは、夫々係合されている。
【００６３】
次に、図８及び図９を用いて、下皿２２ｂに関連する構成について説明する。
【００６４】
図８及び図９に示すように、下皿２２ｂにおける側壁固定部４２０の中央下部には、底面可動レバー４３０が設けられている。また、側壁可動部４２２の中央には鉛直方向に等間隔で、底面固定凹部４３２ａ〜４３２ｃが形成されている。
【００６５】
図９示すように、底面可動レバー４３０は、一方の端部が爪状となっており、一部が側壁固定部４２０に接合され、当該接合部分を支点とした“く”の字状体である。また、底面可動レバー４３０の他方端部は、側壁固定部４２０とバネ状体を介して接合されている。底面可動レバー４３０の爪状となっている端部は、側壁可動部４２２に当接し、当該当接部分の側壁可動部４２２の側面には、底面固定凹部４３２ａ〜４３２ｃが形成されている。底面固定凹部４３２ａ〜４３２ｃのいずれかは、底面可動レバー４３０の爪状部分と係合している。
【００６６】
また、底面固定部３１５には、球抜き穴２３が形成されているとともに、遊技者の操作により、球抜き穴２３の蓋を開閉操作する球抜きレバー２４が設置されている。
【００６７】
下皿２２ｂ及び下皿２２ｂに関連する作用について図７〜図９を用いて説明する。
【００６８】
図７〜図９は、側壁可動部４２２が最大に下がることにより、貯留領域４００の大きさが最大になっていることを示している。
【００６９】
図７〜図９に示す状態から貯留領域４００の大きさを小さくしようとする遊技者は、底面可動レバー４３０を操作することで、側壁可動部４２２を可動することができる。遊技者により、底面可動レバー４３０の端部が側壁固定部４２０側に下げられることで、底面可動レバー４３０の爪状部分と底面固定凹部４３２ｃとの係合が解除され、側壁可動部４２２は、鉛直方向にスライド可能となる。遊技者の操作により、側壁可動部４２２は、上方にスライド移動される。かかる場合、側壁可動部４２２は、可動案内凸部４５０ａ〜４５０ｄと、可動案内凹部４５２ａ〜４５２ｄとの夫々の係合により案内される。そして、遊技者による操作により、底面可動レバー４３０の爪状部分が底面固定凹部４３２ａ、４３２ｂに係合されることで、貯留領域４００の大きさは、固定される。
【００７０】
換言すると、側壁可動部４２２は、遊技者の操作により、底面部及び／又は側壁部を可動することにより貯留領域の大きさを変更する可動手段の一例である。
【００７１】
このように、遊技球を一旦貯留する貯留手段は、遊技者が可動手段を操作することにより、底面部及び／又は側壁部を可動し、貯留領域の増大や縮小が可能となる。従って、例えば、遊技者は、大当たり遊技が行われている場合など、非常に多くの遊技球が一挙に払い出されたときは、貯留領域を増大することで、遊技球を慌ててドル箱に落下させる必要がなくなり、遊技球を散乱させることが減少するので、遊技場の管理者に面倒を掛けることを防止することが可能となる。また、通常の遊技が行われている場合などは、遊技者の趣向により、増大させた貯留領域を縮小することも可能となる。これにより、多くの遊技球が一挙に払い出されても、遊技者が安心して遊技を行うことができ、遊技場の管理者に面倒を掛けない遊技機を提供することが可能となる。
【００７２】
また、換言すると、底面可動レバー４３０、底面固定凹部４３２ａ〜４３２ｃは、遊技者の操作により、底面部及び／又は側壁部を複数の可動位置の各々で固定する固定手段の一例である。
【００７３】
このように、固定手段を設けているので、遊技者の操作により、貯留領域の大きさを複数段階の大きさで固定することが可能となるので、貯留領域の大きさを遊技の状況や遊技者の趣向に応じて、複数段階の中から選択し、固定しておくことが可能となる。従って、例えば、遊技者にとって有利な遊技が複数回実行される大当たり遊技が行われている場合など、有利な遊技の実行回数に応じて、段階的に貯留領域を増大し、固定しておくことが可能となるので、遊技者は、大当たりとなったときに、慌てて遊技場の管理者にドル箱を持ってきてもらう必要がなくなる。また、固定手段により底面部及び／又は側壁部を固定することで、貯留される遊技球による衝撃や圧力によって貯留領域の大きさが変更されてしまうことを防止することが可能となる。従って、例えば、大当たり遊技が行われている場合など、非常に多くの遊技球が一挙に払い出されたときの遊技球による衝撃や圧力により貯留領域の大きさが突然変更され、遊技球を散乱させることが減少する。これにより、多くの遊技球が一挙に払い出されても、遊技者が安心して遊技を行うことができ、遊技場の管理者に面倒を掛けない遊技機を提供することが可能となる。
【００７４】
さらに、換言すると、可動案内凸部４５０ａ〜４５０ｄと、可動案内凹部４５２ａ〜４５２ｄとは、底面部及び／又は側壁部の可動を案内する案内部の一例である。
【００７５】
このように、貯留手段に案内部を備えているので、遊技者の操作により、より安定して遊技球貯留体の底面部及び／又は側壁部を案内部に沿ってスムーズに可動することが可能となる。従って、例えば、遊技者による可動手段の操作が、大当たり遊技に集中しているときに行われても、スムーズに貯留領域を増大させることが可能となるので、遊技球を散乱させることがさらに減少する。これにより、多くの遊技球が一挙に払い出されても、さらに遊技者が安心して遊技を行うことができ、遊技場の管理者に面倒を掛けない遊技機を提供することが可能となる。
【００７６】
なお、本実施形態では、固定手段、案内部を備えているが、本発明は、これらの手段を常に備える必要は無く、状況に応じて任意に備えることができる。
【００７７】
尚、上述した実施形態においては、第１種パチンコ遊技機を例に挙げたが、これに限らず、羽根モノ、ヒコーキと称される第２種パチンコ遊技機、権利ものと称される第３種パチンコ遊技機、その他別の態様であってもよい。
【００７８】
以上、本発明の実施例を説明したが、具体例を例示したに過ぎず、特に本発明を限定するものではない。すなわち、本発明は、主に、遊技球が転動する遊技領域を有し、該遊技領域に遊技球が入賞する入賞役物が設けられた遊技盤を備えた遊技機本体と、前記入賞役物に遊技球が入賞したときに、所定数の遊技球を払い出す賞球払出手段と、前記遊技機本体における前記遊技盤の下方に設けられ、前記賞球払出手段によって払い出された遊技球を一旦貯留する貯留手段とを備え、前記貯留手段は、遊技球を受ける底面部、及び該底面部より立設する側壁部によって囲まれた貯留領域を形成する遊技球貯留体と、遊技者の操作により、前記底面部及び／又は前記側壁部を可動することにより前記貯留領域の大きさを変更する可動手段とを有することを特徴とする遊技機であるが、遊技機本体、貯留手段、可動手段などの具体的構成は、適宜設計変更可能である。
【００７９】
尚、本発明の実施例に記載された効果は、本発明から生じる最も好適な効果を列挙したに過ぎず、本発明による効果は、本発明の実施例に記載されたものに限定されるものではない。
【図面の簡単な説明】
【００８０】
【図１】本発明の一実施形態のパチンコ遊技機における概観を示す斜視図である。
【図２】本発明の一実施形態のパチンコ遊技機における概観を示す分解斜視図である。
【図３】本発明の一実施形態のパチンコ遊技機における皿ユニットを示す説明図である。
【図４】本発明の一実施形態のパチンコ遊技機における皿ユニットを示す説明図である。
【図５】本発明の一実施形態のパチンコ遊技機における皿ユニットを示す説明図である。
【図６】本発明の一実施形態のパチンコ遊技機における皿ユニットを示す説明図である。
【図７】本発明の別実施形態のパチンコ遊技機における皿ユニットを示す説明図である。
【図８】本発明の別実施形態のパチンコ遊技機における皿ユニットを示す説明図である。
【図９】本発明の別実施形態のパチンコ遊技機における皿ユニットを示す説明図である。
【符号の説明】
【００８１】
１０    パチンコ遊技機
１１    扉
１２    本体枠
１３    ベースドア
１４    遊技盤
１５    遊技領域
２１ａ、２１ｂ    皿ユニット
２２ａ、２２ｂ    下皿
２３    球抜き穴
２４    球抜きレバー
２６    発射操作ハンドル
３２    液晶表示装置
３２ａ    表示領域
３００    貯留領域
３１０    第１底面可動部
３１２ａ、３１２ｂ    第２底面可動部
３１５    底面固定部
３２０    側壁固定部
３２２ａ〜３２２ｄ    側壁可動部
３３０    底面可動レバー
３３２ａ〜３３２ｃ    底面固定凹部
３４０    側壁可動レバー
３４２ａ、３４２ｂ    側壁可動リンク部
３４３ａ〜３４３ｃ    側壁固定凹部
３４４    側壁固定凸部
３５０ａ、３５０ｂ    側壁可動案内部
３５２ａ、３５２ｂ    底面可動案内部
４００    貯留領域
４１０    底面部
４２０    側壁固定部
４２２    側壁可動部
４３０    底面可動レバー
４３２ａ〜４３２ｃ    底面固定凹部
４５０ａ〜４５０ｄ    可動案内凸部
４５２ａ〜４５２ｄ    可動案内凹部
【図１】
2007136095.tif 000003
【図２】
2007136095.tif 000004
【図３】
2007136095.tif 000005
【図４】
2007136095.tif 000006
【図５】
2007136095.tif 000007
【図６】
2007136095.tif 000008
【図７】
2007136095.tif 000009
【図８】
2007136095.tif 000010
【図９】
2007136095.tif 000011